(57)【要約】      （修正有）【課題】本体の片側にピーラーを備え、本体把持部にスライサーを備えることにより、構造が簡単で、安全に使用できるようにしたスライサー付ピーラーを提供する。【解決手段】スライサー付きピーラーは、略平板状の本体１と、該本体１の片方側に対峙させて延設した一対のピーラー支持杆２と、該ピーラー支持杆２の間に揺動可能に軸着したピーラー刃３ａを有したピーラー本体３とにより形成する。さらに、該ピーラー本体３と略同巾に前記本体１に厚みを有した縁部１ａを備えた本体把持部１ｂと、該本体把持部１ｂに形成したスライサー用貫通部４と、該スライサー用貫通部４に固定したスライサー刃５と、を備える。  【選択図】図１
0003163328.tif 000002
【実用新案登録請求の範囲】
【請求項１】
略平板状の本体と、該本体の片方側に対峙させて延設した一対のピーラー支持杆と、該ピーラー支持杆の間に揺動可能に軸着したピーラー刃を有したピーラー本体と、該ピーラー本体と略同巾に前記本体に厚みを有した縁部を備えた本体把持部と、該本体把持部に形成したスライサー用貫通部と、該スライサー用貫通部に固定したスライサー刃と、を備えたことを特徴とするスライサー付きピーラー。
【請求項２】
前記ピーラー刃と前記スライサー刃とをセラミックで形成したことを特徴とする請求項１に記載のスライサー付きピーラー。
【請求項３】
前記ピーラー刃と前記スライサー刃とをチタン又はチタン合金で形成したことを特徴とする請求項１に記載のスライサー付きピーラー。
【請求項４】
前記略平板状の本体の他方側辺の前記縁部の裏面に一対の固定用突起を突出させたことを特徴とする請求項１〜３のいずれかに記載のスライサー付きピーラー。
【請求項５】
前記一対のピーラー支持杆の夫々の外側に種取り用刃部を膨出させたことを特徴とする請求項１〜４のいずれかに記載のスライサー付きピーラー。
【考案の詳細な説明】
【技術分野】
【０００１】
本考案は、スライサー付きピーラーに関するものであって、更に、詳細には、本体の片方側にピーラーを備え、本体把持部にスライサーを備えたものである。
【背景技術】
【０００２】
従来から、多目的の調理用器具は各種開発されており、それなりに役に立っているが、鋭利な刃部を有する包丁やナイフのような調理用器具は危険性を伴い、安全性に配慮することから汎用されていないのが実情であるが、安全に使用できるピーラーのような調理用器具には多目的のものもある。
【０００３】
例えば、先に開示された、皮むき本体１の部分に３のスライス面を設け、野菜を動かしても本体を動がしても切れる皮むきにし、その１に両刃の芽とりを設け、めづまりのない芽とりを可能とし、その１に台座の着いた調理器を設け、調理器を安定させ、調理を可能とし、８おろし９波型刃１０オレンジカッターを設けることにより調理を１つの道具でできるよう簡便化し、家庭及び業務に役立つもの（特許文献１参照）や、調理器具１に、所定方向に延びる第一刃部２を有する第一切断手段３と、第一切断手段３の第一刃部２の延びる方向に対して略直角方向に延びる第二刃部４を有する第二切断手段５と、第一切断手段３により対象物の表面に沿って所定の厚さで対象物を切断可能な第一使用位置と、第一切断手段３により対象物をスライス可能な第二使用位置と、第一切断手段３と第二切断手段５を協働させて対象物を千切り可能な第三使用位置とに切り替え可能な切替手段６とを具備させるもの（特許文献２参照）等が開示されている。
【特許文献１】登録実用新案第３０２４０７４号
【特許文献２】特開２００６−９５０７５号公報
【考案の開示】
【考案が解決しようとする課題】
【０００４】
然し乍ら、特許文献１に記載のものは、皮むき本体１（ピーラー）に８おろしと９波型刃と１０オレンジカッターとを設けたもので、９波型刃を下方に形成しており、危険性を有しているものであり、更に、特許文献２では、調理器具１に、第一刃部２を有する第一切断手段３と、第二刃部４を有する第二切断手段５と、千切り可能な第三使用位置とに切り替え可能な切替手段６とを具備させたものであるが、構造が複雑であり使用後の洗浄に手間取るものである。
【０００５】
つまり、鋭利な刃部を備えた調理器具は安全性には配慮すべきであり、かつ、食材を扱うものであるので衛生に保てるように洗浄が容易にできる必要があるものであり、また、スライサーは一般的に巾が広く片手に持ってスライスできるものはなく、器等の上に置いて食材を動かすことによりスライスしていた。
【課題を解決するための手段】
【０００６】
本考案のスライサー付きピーラーは、前述の課題に鑑み、鋭意研鑽の結果、略平板状の本体と、本体の片方側に対峙させて延設した一対のピーラー支持杆と、ピーラー支持杆の間に揺動可能に軸着したピーラー刃を有したピーラー本体と、ピーラー本体と略同巾に本体に厚みを有した縁部を備えた本体把持部と、本体把持部に形成したスライサー用貫通部と、スライサー用貫通部に固定したスライサー刃と、を備えたものである。
【考案の効果】
【０００７】
本考案のスライサー付きピーラーは、片方側にピーラー本体を備え、本体に本体把持部を備え、厚みを有した縁部を備えた本体把持部にスライサー用貫通部を形成し、スライサー刃を設けているもので、安全であり、且つ、片手で把持できる巾にピーラーとスライサーとを設けており、コンパクトな使用できると共に、構造が簡易で洗浄が容易にできるものであり、極めて有用な考案である。
【考案を実施するための最良の形態】
【０００８】
以下、本考案のスライサー付きピーラーの実施の形態を図面によって説明すると、図１は本考案のスライサー付きピーラーの実施例の平面図であり、図２は本考案のスライサー付きピーラーの実施例の側面図である。
【０００９】
本考案は、スライサー付きピーラーに関するものであって、更に、詳細には、本体の片方側にピーラーを備え、本体把持部にスライサーを備えたものであり、請求項１に記載のスライサー付きピーラーは、略平板状の本体１と、該本体１の片方側に対峙させて延設した一対のピーラー支持杆２と、該ピーラー支持杆２の間に揺動可能に軸着したピーラー刃３ａを有したピーラー本体３と、該ピーラー本体３と略同巾に前記本体１に厚みを有した縁部１ａを備えた本体把持部１ｂと、該本体把持部１ｂに形成したスライサー用貫通部４と、該スライサー用貫通部４に固定したスライサー刃５と、を備えたことを特徴とするものである。
【００１０】
更に、請求項２に記載のスライサー付きピーラーは、請求項１に記載のスライサー付きピーラーにおいて、前記ピーラー刃３ａと前記スライサー刃５とをセラミックで形成したことを特徴とするものである。
【００１１】
更には、請求項３に記載のスライサー付きピーラーは、請求項１に記載のスライサー付きピーラーにおいて、前記ピーラー刃３ａと前記スライサー刃５とをチタン又はチタン合金で形成したことを特徴とするものである。
【００１２】
加えて、請求項４に記載のスライサー付きピーラーは、請求項１〜３のいずれかに記載のスライサー付きピーラーにおいて、前記略平板状の本体１の他方側辺の前記縁部の裏面に一対の固定用突起６を突出させたことを特徴とするものである。
【００１３】
更には、請求項５に記載のスライサー付きピーラーは、請求項１〜４のいずれかに記載のスライサー付きピーラーにおいて、前記一対のピーラー支持杆２の夫々の外側に種取り用刃部７を膨出させたことを特徴とするものである。
【実施例】
【００１４】
即ち、本考案のスライサー付きピーラーの本体は、図１〜２に図示するように、全体が略平板状に形成され、片手で把持できる程度の巾と任意の厚みとを有しているものである。
【００１５】
そして、一対のピーラー支持杆２は、本体１の片方側に略Ｕ字状に対峙させて延設しているもので、夫々のピーラー支持杆２の相対する内側には後述するピーラー本体３を軸着するためのピーラー用揺動孔を形成すると共に、ピーラー本体３が当接することにより回動でなく揺動させるように短柱状のストッパー２ａを突出させているものである。
【００１６】
次に、ピーラー本体３は、汎用されているピーラーと同様もので、矩形状の枠体の開口部にピーラー刃３ａを設けると共に、枠体の両側に短柱状の揺動軸を突設させ、前記一対のピーラー支持杆２の夫々の内側に形成したピーラー用揺動孔に揺動可能に軸着しているものである。
【００１７】
次いで、本体把持部１ｂは、ピーラー本体３と略同巾に形成した掌で把持できる巾と厚みを有した略長平板状のもので、巾方向の両側辺には厚みを有した縁部１ａを備えており、該縁部１ａは後述するスライサー刃５が上面に突出しないように安全性にも配慮するものでもあり、縁部１ａの片方側には前記一対のピーラー支持杆２を延設しているものである。
【００１８】
更に、スライサー用貫通部４は、本体把持部１ｂに形成しているもので、実施例では左下がりに傾斜させた平行する辺を有して形成しているものである。
【００１９】
更には、スライサー刃５は、左下がりに平行に傾斜させたスライサー用貫通部４の両側に傾斜させた状態で固定しているので、好適に食材をスライスできるものである。
【００２０】
加えて、スライサー付きピーラーのピーラー刃３ａとスライサー刃５とをセラミックで形成しているものであり、金属製のものより軽量で、また、セラミックは硬質であり、ピーラー刃３ａやスライサー刃５の鋭利な切断性は長期にわたって保たれるものである。
【００２１】
また、スライサー付きピーラーのピーラー刃３ａとスライサー刃５とをチタン又はチタン合金で形成しているものであり、鉄製やステンレス製のものより軽量で、且つ、硬質であり、ピーラー刃３ａやスライサー刃５の鋭利な切断性は長期にわたって保たれるものである。
【００２２】
そして、一対の固定用突起６は、略平板状の本体１の他方側辺の縁部１ａの裏面に突出させたているもので、容器の上などに乗載させて食材をスライスする時に滑らないように固定できるものである。
【００２３】
更に、種取り用刃部７は、一対のピーラー支持杆２の夫々の外側に膨出させているものであり、先端は上方に湾曲させて種を取る時や窪みをえぐる時に容易となるように形成しているものである。
【産業上の利用可能性】
【００２４】
本考案は、片方側にピーラー本体を備え、本体に本体把持部を備え、厚みを有した縁部を備えた本体把持部にスライサー用貫通部を形成し、スライサー刃を設けているもので、安全であり、且つ、片手で把持できる巾にピーラーとスライサーとを設けており、コンパクトな使用できると共に、構造が簡易で洗浄が容易にできるスライサー付きピーラーを提供するものである。
【図面の簡単な説明】
【００２５】
【図１】図１は本考案のスライサー付きピーラーの実施例の平面図である。
【図２】図２は本考案のスライサー付きピーラーの実施例の側面図である。
【符号の説明】
【００２６】
１      本体
１ａ    縁部
１ｂ    本体把持部
２      ピーラー支持杆
２ａ    ストッパー
３      ピーラー本体
３ａ    ピーラー刃
４      スライサー用貫通部
５      スライサー刃
６      固定用突起
７      種取り用刃部
【図１】
0003163328.tif 000003
【図２】
0003163328.tif 000004